(57)【要約】極端紫外光生成装置は、パルスレーザ光が入射するための第１の貫通孔を有するチャンバと、チャンバに保持され、チャンバの内部の所定領域に向けてターゲットを出力するターゲット供給部と、チャンバの内部において所定領域を囲んで配置され、ターゲット供給部から出力されたターゲットを所定領域に向けて通過させるターゲット通路を有するシールド部材と、ターゲット供給部から所定領域までのターゲットの軌道のうち、ターゲット通路よりも上流側の少なくとも一部を囲んで配置された筒状部材と、を備えてもよい。
2017017834.tif 000002
【特許請求の範囲】
【請求項１】
パルスレーザ光が入射するための第１の貫通孔を有するチャンバと、
前記チャンバに保持され、前記チャンバの内部の所定領域に向けてターゲットを出力するターゲット供給部と、
前記チャンバの内部において前記所定領域を囲んで配置され、前記ターゲット供給部から出力された前記ターゲットを前記所定領域に向けて通過させるターゲット通路を有するシールド部材と、
前記ターゲット供給部から前記所定領域までの前記ターゲットの軌道のうち、前記ターゲット通路よりも上流側の少なくとも一部を囲んで配置された筒状部材と、
を備える極端紫外光生成装置。
【請求項２】
前記チャンバの内部であって前記シールド部材の外側の空間にガスを供給する第１のガス供給装置をさらに備える
請求項１記載の極端紫外光生成装置。
【請求項３】
前記筒状部材の内側にガスを供給する第２のガス供給装置をさらに備える
請求項１記載の極端紫外光生成装置。
【請求項４】
前記筒状部材は、前記シールド部材との間に間隔をあけて、前記チャンバに固定されている、
請求項１記載の極端紫外光生成装置。
【請求項５】
前記筒状部材は、前記シールド部材との間に間隔をあけて、前記ターゲット供給部に固定されている、
請求項１記載の極端紫外光生成装置。
【請求項６】
前記ターゲットの軌道を、前記軌道に対して略垂直な第１方向と、前記軌道及び前記第１方向の両方に略垂直な第２方向と、に調整可能に構成された軌道調整機構をさらに備え、
前記筒状部材は、矩形状の断面を有し、前記矩形状の断面が、前記第１方向に略平行な第１及び第３の辺と、前記第２の方向に略平行な第２及び第４の辺と、を有する、
請求項１記載の極端紫外光生成装置。
【請求項７】
前記所定領域で生成された極端紫外光を反射して集光する集光ミラーをさらに備え、
前記シールド部材は、前記集光ミラーによって反射された極端紫外光の光路を囲んで配置された、
請求項１記載の極端紫外光生成装置。
【請求項８】
前記所定領域で生成された極端紫外光を反射して集光する集光ミラーをさらに備え、
前記筒状部材は、前記集光ミラーによって反射された極端紫外光の光路の外側に位置する、
請求項１記載の極端紫外光生成装置。
【発明の詳細な説明】
【技術分野】
【０００１】
本開示は、極端紫外光生成装置に関する。
【背景技術】
【０００２】
近年、半導体プロセスの微細化に伴って、半導体プロセスの光リソグラフィにおける転写パターンの微細化が急速に進展している。次世代においては、７０ｎｍ〜４５ｎｍの微細加工、さらには３２ｎｍ以下の微細加工が要求されるようになる。このため、例えば３２ｎｍ以下の微細加工の要求に応えるべく、波長１３ｎｍ程度の極端紫外（ＥＵＶ）光を生成する極端紫外光生成装置と縮小投影反射光学系(reduced projection reflection optics)とを組み合わせた露光装置の開発が期待されている。【０００３】
ＥＵＶ光生成装置としては、ターゲット物質にパルスレーザ光を照射することによって生成されるプラズマが用いられるＬＰＰ（Laser Produced Plasma）式の装置と、放電によって生成されるプラズマが用いられるＤＰＰ（Discharge Produced Plasma）式の装置と、シンクロトロン放射光が用いられるＳＲ（Synchrotron Radiation）式の装置との３種類の装置が提案されている。
【先行技術文献】
【特許文献】
【０００４】
【特許文献１】米国特許出願公開第２０１４／０３１９３８７号明細書
【特許文献２】米国特許出願公開第２００９／０２３０３２６号明細書
【特許文献３】米国特許出願公開第２０１２／０２１７４２２号明細書
【概要】
【０００５】
本開示の１つの観点に係る極端紫外光生成装置は、パルスレーザ光が入射するための第１の貫通孔を有するチャンバと、チャンバに保持され、チャンバの内部の所定領域に向けてターゲットを出力するターゲット供給部と、チャンバの内部において所定領域を囲んで配置され、ターゲット供給部から出力されたターゲットを所定領域に向けて通過させるターゲット通路を有するシールド部材と、ターゲット供給部から所定領域までのターゲットの軌道のうち、ターゲット通路よりも上流側の少なくとも一部を囲んで配置された筒状部材と、を備えてもよい。
【図面の簡単な説明】
【０００６】
本開示のいくつかの実施形態を、単なる例として、添付の図面を参照して以下に説明する。
【図１】図１は、例示的なＬＰＰ式のＥＵＶ光生成システムの構成を概略的に示す。
【図２】図２は、本開示の比較例に係るＥＵＶ光生成装置の構成を概略的に示す。
【図３】図３は、図２に示されるターゲットの軌道を拡大して示す斜視図である。
【図４】図４は、本開示の第１の実施形態に係るＥＵＶ光生成装置の構成を概略的に示す
【図５Ａ】図５Ａは、筒状部材の形状に関する第１の例を示す斜視図である。
【図５Ｂ】図５Ｂは、筒状部材の形状に関する第２の例を示す斜視図である。
【図６】図６は、ターゲットの軌跡の変化を、図２に示された比較例と図４に示された第１の実施形態とで比較したグラフである。
【図７】図７は、本開示の第２の実施形態に係るＥＵＶ光生成装置の構成を概略的に示す。
【図８】図８は、本開示の第３の実施形態に係るＥＵＶ光生成装置の構成を概略的に示す。
【図９】図９は、本開示の第４の実施形態に係るＥＵＶ光生成装置の構成を概略的に示す。
【図１０】図１０は、本開示の第５の実施形態に係るＥＵＶ光生成装置の構成を概略的に示す。
【図１１】図１１は、本開示の第６の実施形態に係るＥＵＶ光生成装置の構成を概略的に示す。
【実施形態】
【０００７】
＜内容＞
１．極端紫外光生成システムの全体説明
１．１  構成
１．２  動作
２．用語の説明
３．比較例に係るＥＵＶ光生成装置
３．１  構成
３．２  動作
３．３  課題
４．筒状部材を備えたＥＵＶ光生成装置
４．１  構成及び動作
４．２  効果
５．ターゲット供給部の移動機構を備えたＥＵＶ光生成装置
６．筒状部材をターゲット供給部に固定したＥＵＶ光生成装置
７．筒状部材の内側にパージガスを供給するＥＵＶ光生成装置
８．筒状部材の内側にエッチングガスを供給するＥＵＶ光生成装置
【０００８】
以下、本開示の実施形態について、図面を参照しながら詳しく説明する。以下に説明される実施形態は、本開示のいくつかの例を示すものであって、本開示の内容を限定するものではない。また、各実施形態で説明される構成及び動作の全てが本開示の構成及び動作として必須であるとは限らない。なお、同一の構成要素には同一の参照符号を付して、重複する説明を省略する。
【０００９】
１．極端紫外光生成システムの全体説明
１．１  構成
図１に、例示的なＬＰＰ式のＥＵＶ光生成システムの構成を概略的に示す。ＥＵＶ光生成装置１は、少なくとも１つのレーザ装置３と共に用いられてもよい。本願においては、ＥＵＶ光生成装置１及びレーザ装置３を含むシステムを、ＥＵＶ光生成システム１１と称する。図１に示し、かつ、以下に詳細に説明するように、ＥＵＶ光生成装置１は、チャンバ２及びターゲット供給部２６を含んでもよい。チャンバ２は、密閉可能であってもよい。ターゲット供給部２６は、例えば、チャンバ２の壁を貫通するように取り付けられてもよい。ターゲット供給部２６から供給されるターゲット物質の材料は、スズ、テルビウム、ガドリニウム、リチウム、又は、それらの内のいずれか２つ以上の組合せを含んでもよいが、これらに限定されない。
【００１０】
チャンバ２の壁には、少なくとも１つの貫通孔が設けられていてもよい。その貫通孔には、ウインドウ２１が設けられてもよく、ウインドウ２１をレーザ装置３から出力されるパルスレーザ光３２が透過してもよい。チャンバ２の内部には、例えば、回転楕円面形状の反射面を有するＥＵＶ集光ミラー２３が配置されてもよい。ＥＵＶ集光ミラー２３は、第１及び第２の焦点を有し得る。ＥＵＶ集光ミラー２３の表面には、例えば、モリブデンとシリコンとが交互に積層された多層反射膜が形成されていてもよい。ＥＵＶ集光ミラー２３は、例えば、その第１の焦点がプラズマ生成領域２５に位置し、その第２の焦点が中間集光点（ＩＦ）２９２に位置するように配置されるのが好ましい。ＥＵＶ集光ミラー２３の中央部には貫通孔２４が設けられていてもよく、貫通孔２４をパルスレーザ光３３が通過してもよい。
【００１１】
ＥＵＶ光生成装置１は、ＥＵＶ光生成制御部５及びターゲットセンサ４をさらに含んでもよい。ターゲットセンサ４は、撮像機能を有してもよく、ターゲット２７の存在、軌跡、位置、速度等を検出するよう構成されてもよい。
【００１２】
さらに、ＥＵＶ光生成装置１は、チャンバ２の内部と露光装置６の内部とを連通させる接続部２９を含んでもよい。接続部２９内部には、アパーチャが形成された壁２９１が設けられてもよい。壁２９１は、そのアパーチャがＥＵＶ集光ミラー２３の第２の焦点位置に位置するように配置されてもよい。
【００１３】
さらに、ＥＵＶ光生成装置１は、レーザ光進行方向制御部３４、レーザ光集光ミラー２２、ターゲット２７を回収するためのターゲット回収部２８等を含んでもよい。レーザ光進行方向制御部３４は、パルスレーザ光の進行方向を規定するための光学系と、この光学系の配置、姿勢等を調節するためのアクチュエータとを備えてもよい。
【００１４】
１．２  動作
図１を参照に、レーザ装置３から出力されたパルスレーザ光３１は、レーザ光進行方向制御部３４を経て、パルスレーザ光３２としてウインドウ２１を透過して、チャンバ２内に入射してもよい。パルスレーザ光３２は、少なくとも１つのレーザ光路に沿ってチャンバ２内に進み、レーザ光集光ミラー２２で反射されて、パルスレーザ光３３としてターゲット２７に照射されてもよい。
【００１５】
ターゲット供給部２６は、ターゲット２７をチャンバ２内のプラズマ生成領域２５に向けて出力するよう構成されてもよい。ターゲット２７には、パルスレーザ光３３に含まれる少なくとも１つのパルスが照射されてもよい。パルスレーザ光３３が照射されたターゲット２７はプラズマ化し、そのプラズマから放射光２５１が放射され得る。ＥＵＶ集光ミラー２３は、放射光２５１に含まれるＥＵＶ光を、他の波長域の光に比べて高い反射率で反射してもよい。ＥＵＶ集光ミラー２３によって反射されたＥＵＶ光を含む反射光２５２は、中間集光点２９２で集光され、露光装置６に出力されてもよい。
【００１６】
ＥＵＶ光生成制御部５は、ＥＵＶ光生成システム１１全体の制御を統括するよう構成されてもよい。ＥＵＶ光生成制御部５は、ターゲットセンサ４によって撮像されたターゲット２７のイメージデータ等を処理するよう構成されてもよい。また、ＥＵＶ光生成制御部５は、例えば、ターゲット２７が出力されるタイミング、ターゲット２７の出力方向等を制御するよう構成されてもよい。さらに、ＥＵＶ光生成制御部５は、例えば、レーザ装置３の発振タイミング、パルスレーザ光３２の進行方向、パルスレーザ光３３の集光位置等を制御するよう構成されてもよい。上述の様々な制御は単なる例示に過ぎず、必要に応じて他の制御が追加されてもよい。
【００１７】
２．用語の説明
ターゲットの「軌道」は、ターゲット供給部から出力されるターゲットの理想的な経路、あるいは、ターゲット供給部の設計に従ったターゲットの経路とする。
ターゲットの「軌跡」は、ターゲット供給部から出力されたターゲットの実際の経路とする。
「プラズマ生成領域」は、ターゲットにパルスレーザ光が照射されることによってプラズマの生成が開始される領域とする。プラズマ生成領域は、本開示における所定領域に相当し得る。
【００１８】
３．比較例に係るＥＵＶ光生成装置
３．１  構成
図２は、本開示の比較例に係るＥＵＶ光生成装置の構成を概略的に示す。図２に示されるように、チャンバ２ａは、チャンバ保持部材１０によって、重力方向に対して斜めの姿勢に保持されていてもよい。図２に示されるように、ＥＵＶ光の出力方向をＺ方向としてもよい。ターゲットの出力方向をＹ方向としてもよい。Ｚ方向とＹ方向との両方に垂直な方向をＸ方向としてもよい。チャンバ２ａの外部には、保持部３６と、エッチングガス供給装置５０と、排気装置５９と、接続部２９ａと、が設けられていてもよい。
【００１９】
チャンバ２ａには、保持部３６を介してターゲット供給部２６ａが取り付けられていてもよい。チャンバ２には貫通孔２０が形成され、保持部３６は、この貫通孔２０を覆うようにチャンバ２ａの外側に脱着可能に配置されていてもよい。
【００２０】
エッチングガス供給装置５０は、エッチングガスを収容した図示しないボンベと、図示しないマスフローコントローラ又は開閉弁とを含んでもよい。エッチングガスは、ＥＵＶ集光ミラー２３ａの表面に付着したターゲット物質をエッチング可能なガスであってもよい。エッチングガスは、水素を含んでもよい。エッチングガス供給装置５０には、配管５１が接続されていてもよい。配管５１には、接続ポート５２が接続され、接続ポート５２はチャンバ２ａに接続されていてもよい。
【００２１】
排気装置５９は、排気ポンプを含んでもよい。排気装置５９は、接続ポート５２から離れた位置において、チャンバ２ａに接続されていてもよい。
【００２２】
チャンバ２ａの内部には、ＥＵＶ集光ミラー２３ａと、レーザ光集光光学系２２ａと、シールド部材７と、が設けられてもよい。
【００２３】
ＥＵＶ集光ミラー２３ａは、ＥＵＶ集光ミラーホルダ４３を介してチャンバ２ａの内部に固定されてもよい。レーザ光集光光学系２２ａは、ホルダ４２によってチャンバ２ａの内部に支持されてもよい。レーザ光集光光学系２２ａは、軸外放物面ミラーで構成されてもよい。軸外放物面ミラーの焦点は、プラズマ生成領域２５に位置してもよい。
【００２４】
シールド部材７は、−Ｚ方向側においては径が大きく、＋Ｚ方向側においては径が小さいテーパー筒状の形状を有していてもよい。シールド部材７は、プラズマ生成領域２５を囲んで配置されていてもよい。さらに、シールド部材７は、ＥＵＶ集光ミラー２３ａによって反射されたＥＵＶ光を含む反射光２５２の光路を囲んで配置されてもよい。シールド部材７の−Ｚ方向側の端部はＥＵＶ集光ミラー２３ａの外周部の近傍に位置し、シールド部材７の＋Ｚ方向側の端部はＥＵＶ集光ミラー２３ａによって反射されたＥＵＶ光を含む反射光２５２の光路の下流側に位置していてもよい。
【００２５】
シールド部材７には、貫通孔７０が形成されていてもよい。貫通孔７０は、ターゲット供給部２６ａとプラズマ生成領域２５との間のターゲット２７の軌道に位置してもよい。貫通孔７０は、ターゲット供給部２６ａから出力されたターゲット２７をプラズマ生成領域２５に向けて通過させるターゲット通路を構成してもよい。
シールド部材７には、液体の冷媒を通過させる流路７１が形成されていてもよい。冷媒は水でもよい。流路７１は、図示しないポンプと熱交換機とに接続されていてもよい。
【００２６】
３．２  動作
エッチングガス供給装置５０は、チャンバ２ａの内部にエッチングガスを供給してもよい。排気装置５９は、チャンバ２ａの内部が大気圧未満の所定の圧力となるようにチャンバ２ａの内部のガスを排気してもよい。従って、エッチングガスをチャンバ２ａの内部に導入する接続ポート５２から、チャンバ２ａの内部のガスを排気する排気装置５９に向けて、チャンバ２ａの内部にガスの流れが発生してもよい。チャンバ２ａの内部に発生するガスの流れは、シールド部材７の内側を通るガスの流れ（図示せず）の他に、図２に一点鎖線の矢印で示されるようなシールド部材７の外側を通るガスの流れを含んでもよい。
【００２７】
ターゲット供給部２６ａから出力されたターゲット２７は、チャンバ２ａの貫通孔２０及びシールド部材７の貫通孔７０を通過し、プラズマ生成領域２５に到達してもよい。パルスレーザ光３２は、ウインドウ２１を介してチャンバ２ａ内のレーザ光集光光学系２２ａに入射してもよい。レーザ光集光光学系２２ａによって反射されたパルスレーザ光３３は、プラズマ生成領域２５に集光されてもよい。パルスレーザ光３３は、ターゲット２７がプラズマ生成領域２５に到達するタイミングでプラズマ生成領域２５に到達してもよい。
【００２８】
ターゲット２７は、パルスレーザ光３３を照射されてプラズマ化してもよい。プラズマからは、放射光２５１が放射され得る。また、高温のプラズマにより、チャンバ２ａが加熱され得る。チャンバ２ａの加熱及び変形を抑制するため、シールド部材７はプラズマから放射される熱を吸収してもよい。また、高温のプラズマにより、チャンバ２ａの内部にガスの流れが発生し得る。特に、ＥＵＶ光の生成を開始した直後、あるいは、ＥＵＶ光の生成を一定時間休止してからＥＵＶ光の生成を再開した直後のタイミングでは、チャンバ２ａ内の温度変化が大きくなり得る。このタイミングでは、ガスの流れの方向及び流量が短時間で変動し、ガスの流れが複雑となり得る。
【００２９】
３．３  課題
図３は、図２に示されるターゲットの軌道を拡大して示す斜視図である。ターゲット供給部２６ａとプラズマ生成領域２５とを結ぶターゲットの軌道Ａには、シールド部材７の貫通孔７０と、ターゲットセンサ４ａによる検出領域４１とが位置していてもよい。ターゲットセンサ４ａは、照明装置４０と、受光装置４４と、を含んでもよい。照明装置４０は、検出領域４１を照明する位置に配置されてもよい。受光装置４４は、照明装置４０から出力されて検出領域４１を通過した光を受光する位置に配置されてもよい。
【００３０】
ターゲットが検出領域４１を通過するとき、照明装置４０から出力された光の一部がターゲットによって遮られてもよい。受光装置４４は、受光した光の強度の変化を示す信号を、ターゲット通過のタイミングを示す信号としてＥＵＶ光生成制御部５に送信してもよい。ＥＵＶ光生成制御部５は、受光装置４４から出力された信号に基づいて、レーザトリガ信号を出力してもよい。レーザトリガ信号は、ターゲット通過のタイミングを示す信号に所定の遅延時間を与えて出力されるものでもよい。このレーザトリガ信号に基づいてレーザ装置３がパルスレーザ光３１を出力してもよい。このようにしてパルスレーザ光３１の出力タイミングが制御されることにより、ターゲットがプラズマ生成領域２５に到達するタイミングで、パルスレーザ光３３がプラズマ生成領域２５に到達し得る。
【００３１】
上述のように高温のプラズマによりチャンバ２ａの内部にガスの複雑な流れが発生すると、ターゲット供給部２６ａから出力されたターゲットがガスに流されて、ターゲットの軌跡が図３にＢ又はＣで示されるように変化し得る。軌跡の変化は許容範囲内であることが望ましいが、軌跡の変化が許容範囲を超えて、例えばターゲットセンサ４ａによる検出領域４１から外れた位置をターゲットが通過する場合があり得る。その場合には、ターゲットが検出されず、レーザトリガ信号が出力されず、パルスレーザ光が出力されなくなり得る。その結果、ＥＵＶ光が生成されなくなり得る。
【００３２】
また、ターゲットセンサ４ａによる検出領域４１をターゲットが通過したとしても、ターゲットがプラズマ生成領域２５以外の位置を通過する場合があり得る。その場合には、パルスレーザ光は出力されるが、ターゲットに照射されないか、照射面積が不十分となり得る。その結果、ＥＵＶ光が生成されないか、生成されるＥＵＶ光のエネルギーが低くなり得る。
【００３３】
以下に説明する実施形態においては、ターゲットの軌跡の変動を抑制することにより、ＥＵＶ光の生成を安定化している。
【００３４】
４．筒状部材を備えたＥＵＶ光生成装置
４．１  構成及び動作
図４は、本開示の第１の実施形態に係るＥＵＶ光生成装置の構成を概略的に示す。図４に示されるように、筒状部材６０ａが、ターゲット供給部２６ａからプラズマ生成領域２５までのターゲットの軌道のうち、シールド部材７の貫通孔７０よりも上流側の少なくとも一部を囲んで配置されてもよい。チャンバ２ａの貫通孔２０の周囲に、筒状部材６０ａの一端が固定されてもよい。筒状部材６０ａの他端は、シールド部材７の貫通孔７０の近傍に位置していてもよい。筒状部材６０ａは、シールド部材７との間に隙間を有していてもよい。
【００３５】
筒状部材６０ａの上記他端は、さらに、シールド部材７の貫通孔７０に挿入されていてもよい。図示は省略するが、筒状部材６０ａは、シールド部材７の貫通孔７０を貫通して、筒状部材６０ａの上記他端がシールド部材７の内側に位置していてもよい。但し、筒状部材６０ａは、ＥＵＶ集光ミラー２３ａによって反射されたＥＵＶ光を含む反射光２５２の光路の外側に位置することが望ましい。
【００３６】
以上の構成において、ターゲット供給部２６ａから出力されたターゲット２７は、筒状部材６０ａの内側を通過してもよい。筒状部材６０ａの内側を通過したターゲット２７は、プラズマ生成領域２５に到達してもよい。
【００３７】
図５Ａは、筒状部材の形状に関する第１の例を示す斜視図である。筒状部材６０ａの本体部６２は、円筒状の形状を有していてもよい。すなわち、筒状部材６０ａの本体部６２のＹ方向に略垂直な断面の形状は、円の形状を有していてもよい。
【００３８】
筒状部材６０ａの上記一端は、チャンバ２ａに固定されるためのフランジ部６１を有していてもよい。フランジ部６１は、図４に示されるように、チャンバ２ａの外側に配置されてもよい。筒状部材６０ａの上記他端は、チャンバ２ａの内部に位置してもよい。筒状部材６０ａは、チャンバ２ａの外側からチャンバ２ａの貫通孔２０に挿入されて、図示しないボルト等によってフランジ部６１とチャンバ２ａとを固定することにより、設置され得る。筒状部材６０ａを交換等のため取り外すときは、上述のボルトを外して、貫通孔２０から筒状部材６０ａをチャンバ２ａの外に引っ張り出せばよい。
【００３９】
図５Ｂは、筒状部材の形状に関する第２の例を示す斜視図である。筒状部材６０ｂの本体部６３は、四角筒状の形状を有していてもよい。筒状部材６０ｂの本体部６３のＹ方向に略垂直な断面の形状は、四角形状であってもよい。筒状部材６０ｂの本体部６３の断面形状は、矩形状であってもよい。筒状部材６０ｂの本体部６３の断面形状は、正方形であってもよい。フランジ部６１については、上述の第１の例と同様でよい。
筒状部材の断面形状は、円形状又は四角形状に限られず、他の形状でもよい。
【００４０】
４．２  効果
第１の実施形態によれば、ターゲット供給部２６ａから出力されたターゲット２７は、チャンバ２ａの内部のシールド部材７より外側のガスの流れには晒されることなく、筒状部材６０ａ又は６０ｂの内側を通過することができる。従って、チャンバ２ａの内部におけるガスの流れの変化によってターゲット２７の軌跡が変動することが抑制され得る。
【００４１】
図６は、ターゲットの軌跡の変化を、図２に示された比較例と図４に示された第１の実施形態とで比較したグラフである。図６の縦軸は、プラズマ生成領域２５の付近におけるターゲットの目標位置からのＺ方向の位置ずれを示す。縦軸の値が正であるときは、ターゲットが＋Ｚ方向にずれたことを示す。縦軸の値が負であるときは、ターゲットが−Ｚ方向にずれたことを示す。図６の横軸は、経過時間を示す。横軸の値が負であるときは、ＥＵＶ光の生成が開始される前であることを示す。横軸の値が正であるときは、ＥＵＶ光の生成が開始された後であることを示し、値が大きくなるほど、ＥＵＶ光の生成開始後に時間が経過したことを示す。
【００４２】
図６に示されるように、筒状部材を有しない比較例においては、ＥＵＶ光の生成開始直後は、ターゲットの位置が＋Ｚ方向にずれたり、−Ｚ方向にずれたりして、ターゲットの軌跡が不安定となることがわかる。軌跡がずれる方向が一定ではなく、＋Ｚ方向にずれたり、−Ｚ方向にずれたりすることから、チャンバ２ａ内のガスの流れは一定方向ではなく、ＥＵＶ光の生成開始直後はガスの流れの方向及び流量が複雑に変化していることが推測される。ＥＵＶ光の生成開始からある程度の時間が経過すると、比較例においても、チャンバ２ａ内のガスの流れが安定化し、ターゲットの軌跡が安定化し得る。
【００４３】
一方、筒状部材を有する第１の実施形態においては、図６に示されるように、ターゲットの軌跡が略安定していることがわかる。特に、ＥＵＶ光の生成開始直後においても、ターゲットの軌跡の変動が抑制されている。チャンバ２ａ内のガスの流れが一定方向ではなく、ＥＵＶ光の生成開始直後はガスの流れの方向及び流量が複雑に変化しているとしても、筒状部材６０ａ又は６０ｂを配置することにより、ターゲットの軌跡の変動が抑制されることがわかる。また、プラズマ生成領域２５までのターゲットの軌道の全体を筒状部材６０ａ又は６０ｂで覆う必要があるわけではない。ターゲットの軌道の内の、シールド部材７の外側の部分を筒状部材６０ａ又は６０ｂで覆うだけでも、かなりの効果が得られていることがわかる。
【００４４】
なお、本開示において、ターゲットの軌道を筒状部材で覆うという場合、ターゲットの軌道の周りを全周にわたって覆うことが望ましいが、筒状部材に一切の裂け目又は切れ目もあってはならないという意味ではない。実質的に筒状の部材で覆うことによりターゲットの軌道におけるガスの流れの変動を抑制できるのであれば、筒状部材にわずかな裂け目又は切れ目があってもよい。
【００４５】
５．ターゲット供給部の移動機構を備えたＥＵＶ光生成装置
図７は、本開示の第２の実施形態に係るＥＵＶ光生成装置の構成を概略的に示す。図７に示されるように、ターゲット供給部２６ａは、ＸＺステージ３７を介して保持部３６に保持されてもよい。図７には示されていないターゲットセンサ４ａは、ターゲットの軌跡も検出できるように構成されてもよい。ＸＺステージ３７は、Ｘ方向及びＺ方向のいずれにも、ターゲット供給部２６ａを移動させることができるように構成されてもよい。ＸＺステージ３７がターゲット供給部２６ａを移動させることにより、ターゲットの軌道が変更されてもよい。ＸＺステージ３７は、本開示における軌道調整機構に相当し得る。
【００４６】
図１を参照しながら説明したＥＵＶ光生成制御部５は、ターゲットセンサ４ａによって検出されたターゲットの軌跡に基づいて、ターゲットの軌跡が所望の範囲内に収まるように、ＸＺステージ３７をフィードバック制御してもよい。但し、ＸＺステージ３７の駆動速度は、図６を参照しながら説明したターゲットの軌跡の急激な変動にまでは追随できないことがあり得る。従って、ＸＺステージ３７によるターゲットの軌道の変更は、図６で示された期間よりも長い時間をかけてターゲットの軌跡を目標範囲内に合わせ込むものでもよい。
【００４７】
第２の実施形態において用いられる筒状部材６０は、図５Ａを参照しながら説明した円筒状のものでもよい。
【００４８】
あるいは、第２の実施形態において用いられる筒状部材６０は、図５Ｂを参照しながら説明した四角筒状のものでもよい。第２の実施形態において、四角筒状の筒状部材６０ｂを用いる場合には、その矩形状の断面が、Ｘ方向に略平行な第１の辺６３１及び第３の辺６３３と、Ｚ方向に略平行な第２の辺６３２及び第４の辺６３４と、を有していてもよい。これにより、ＸＺステージ３７によるターゲット供給部２６ａの移動可能な領域の形状と、筒状部材６０ｂの断面形状と、を略一致させてもよい。
【００４９】
ＸＺステージ３７によるターゲット供給部２６ａの移動可能な領域の形状よりも、筒状部材６０ｂの断面形状が、わずかに大きくてもよい。例えば、ＸＺステージ３７によるターゲット供給部２６の移動可能な範囲がＸ方向に２０ｍｍ及びＺ方向に２０ｍｍであった場合、筒状部材６０ｂの断面形状は、Ｘ方向が２１ｍｍ及びＺ方向が２１ｍｍの正方形状とされてもよい。これにより、ＸＺステージ３７によってターゲット供給部２６ａを上記範囲内で移動させても、ターゲットが筒状部材６０ｂに当たることを抑制し得る。
他の点については、第１の実施形態と同様でよい。
【００５０】
６．筒状部材をターゲット供給部に固定したＥＵＶ光生成装置
図８は、本開示の第３の実施形態に係るＥＵＶ光生成装置の構成を概略的に示す。図８に示されるように、筒状部材６０ｃは、ターゲット供給部２６ａに固定されてもよい。筒状部材６０ｃは、チャンバ２ａに固定されなくてもよい。筒状部材６０ｃは、チャンバ２ａの貫通孔２０の径よりも小さい径を有し、チャンバ２ａとの間に隙間を有していてもよい。筒状部材６０ｃは、図５Ａ又は図５Ｂに示されるようなフランジ部６１を有しなくてもよい。
【００５１】
第３の実施形態によれば、筒状部材６０ｃがターゲット供給部２６ａに固定されているので、ＸＺステージ３７によってターゲット供給部２６ａを移動させた場合に、筒状部材６０ｃも一緒に移動し得る。従って、ターゲット供給部２６ａを移動させても、ターゲットの軌跡と筒状部材６０ｃとの相対的な位置関係の変動が抑制され得る。従って、ターゲット供給部２６ａを移動させても、筒状部材６０ｃにターゲットが付着しやすくなることを抑制し得る。
他の点については、第２の実施形態と同様でよい。
【００５２】
７．筒状部材の内側にパージガスを供給するＥＵＶ光生成装置
図９は、本開示の第４の実施形態に係るＥＵＶ光生成装置の構成を概略的に示す。図９に示されるように、第４の実施形態は、パージガス供給装置５５をさらに備えていてもよい。パージガス供給装置５５は、パージガスを収容した図示しないボンベと、図示しないマスフローコントローラ又は開閉弁とを含んでもよい。パージガスは、ヘリウムガス、窒素ガス、アルゴンガスなどの不活性ガスを含んでもよい。パージガスは、水素あるいはその他ハロゲンガスを含んでもよい。パージガスはエッチングガスであってもよい。パージガス供給装置５５には、配管５６が接続されていてもよい。配管５６は、ターゲット供給部２６ａを保持する保持部３６に接続されていてもよい。
【００５３】
パージガス供給装置５５は、保持部３６の内部にパージガスを供給してもよい。保持部３６の内部に供給されたパージガスは、筒状部材６０の内側に導入されてもよい。保持部３６の内部のガス圧は、チャンバ２ａの内部のガス圧よりわずかに高くてもよい。これにより、筒状部材６０の内側には、上記一端側から上記他端側を通ってシールド部材７の内側に向かうパージガスの流れが発生してもよい。
【００５４】
第４の実施形態によれば、シールド部材７の内側でガスの不安定な流れが発生しても、筒状部材６０の内部に向かってガスが流れ込むことが抑制され得る。また、パージガス供給装置５５によって供給されるパージガスの流量を略一定にすることにより、筒状部材６０の内部で上記一端側から上記他端側に向かうパージガスの流れを略一定にし得る。従って、ターゲットの軌跡がより安定化し得る。
他の点については、第１の実施形態と同様でよい。
【００５５】
図１０は、本開示の第５の実施形態に係るＥＵＶ光生成装置の構成を概略的に示す。図１０に示されるように、第５の実施形態は、第２の実施形態で説明したＸＺステージ３７を備えた構成において、パージガス供給装置５５をさらに備えていてもよい。パージガス供給装置５５の構成及び作用は、図９を参照しながら説明したものと同様でよい。
【００５６】
他の点については、第２又は第３の実施形態と同様でよい。第３の実施形態のように筒状部材６０ｃをターゲット供給部２６ａに固定する場合には、図示しないフレキシブルな配管を筒状部材６０ｃに接続することにより、パージガスを筒状部材６０ｃの内側に供給してもよい。
【００５７】
８．筒状部材の内側にエッチングガスを供給するＥＵＶ光生成装置
図１１は、本開示の第６の実施形態に係るＥＵＶ光生成装置の構成を概略的に示す。図１１に示されるように、第６の実施形態においては、エッチングガス供給装置５０に接続された配管５３が、保持部３６に接続されていてもよい。
従って、第６の実施形態においては、保持部３６の内部及び筒状部材６０の内側に、パージガスではなくエッチングガスが供給されてもよい。
他の点については、第４又は第５の実施形態と同様でよい。
【００５８】
上記の説明は、制限ではなく単なる例示を意図したものである。従って、添付の特許請求の範囲を逸脱することなく本開示の実施形態に変更を加えることができることは、当業者には明らかであろう。
【００５９】
本明細書及び添付の特許請求の範囲全体で使用される用語は、「限定的でない」用語と解釈されるべきである。例えば、「含む」又は「含まれる」という用語は、「含まれるものとして記載されたものに限定されない」と解釈されるべきである。「有する」という用語は、「有するものとして記載されたものに限定されない」と解釈されるべきである。また、本明細書及び添付の特許請求の範囲に記載される修飾句「１つの」は、「少なくとも１つ」又は「１又はそれ以上」を意味すると解釈されるべきである。
【図１】
2017017834.tif 000003
【図２】
2017017834.tif 000004
【図３】
2017017834.tif 000005
【図４】
2017017834.tif 000006
【図５Ａ】
2017017834.tif 000007
【図５Ｂ】
2017017834.tif 000008
【図６】
2017017834.tif 000009
【図７】
2017017834.tif 000010
【図８】
2017017834.tif 000011
【図９】
2017017834.tif 000012
【図１０】
2017017834.tif 000013
【図１１】
2017017834.tif 000014
【国際調査報告】
2017017834.tif 000015
2017017834.tif 000016
2017017834.tif 000017
2017017834.tif 000018